(57)【要約】【課題】多様な形状の一口循環具の基体に適合することができる一口循環具用の接続アダプタを提供する【解決手段】吐水継手２０及び導入継手２１を支持する支持アーム２２から構成される一口循環具用の接続アダプタ１０において、支持アーム２２が基体１３の周方向に沿って伸縮可能な周方向調節機構４０及び基体１３の半径方向に沿って進退可能な径方向位置調節機構３９を備えてなる一口循環具用の接続アダプタ１０。周方向調節機構４０は、支持アーム２２の切欠き部、周方向位置調節アーム２４、長孔５９，６０、第４雄ねじ６１及び第５雄ねじ６２から構成される。径方向位置調節機構３９は、第１雌ねじ５４及びそれに螺合される第１雄ねじ５１、第２雌ねじ５５及びそれに螺合される第２雄ねじ５２、第３雌ねじ５６及びそれに螺合される第３雄ねじ５３から構成される。【選択図】      図２
2004360983.tif 000002
【特許請求の範囲】
【請求項１】
浴槽用一口循環具の略円筒状をなす基体の外周面上に設けられた浴槽水を導入する吸水孔及び加熱後の浴槽水を吐出する吐水孔に対し、前記吸水孔から洗浄液を注入し、吐水孔から吐出される排出水を循環するための循環具洗浄装置の洗浄液を吐出する吐出口及び排出水を導入する導入口を各々連結するための一口循環具用の接続アダプタにおいて、
前記吐出口を有する吐水継手及び導入口を有する導入継手を支持する支持体が前記基体の周方向に沿って伸縮可能な周方向調節機構及び基体の半径方向に沿って進退可能な径方向位置調節機構を備えてなる一口循環具用の接続アダプタ。
【請求項２】
浴槽用一口循環具の略円筒状をなす基体の外周面上に設けられた浴槽水を導入する吸水孔及び加熱後の浴槽水を吐出する吐水孔に対し、前記吸水孔から洗浄液を注入し、吐水孔から吐出される排出水を循環するための循環具洗浄装置の洗浄液を吐出する吐出口及び排出水を導入する導入口を各々連結するための一口循環具用の接続アダプタにおいて、
前記吐出口を有する吐水継手又は導入口を有する導入継手を支持する支持体が基体の半径方向に沿って進退可能な径方向位置調節機構を備えてなる一口循環具用の接続アダプタ。
【請求項３】
前記吐水継手の吐水口及び導入継手の導入口の周囲には、基体に圧接されて水漏れを防止するシール部材が取り付けられている請求項１又は請求項２に記載される一口循環具用の接続アダプタ。
【発明の詳細な説明】
【０００１】
【発明の属する技術分野】
本発明は、浴槽用一口循環具に循環具洗浄装置を取り付ける際に用いられる一口循環具用の接続アダプタに関する。
【０００２】
【従来の技術】
一般に、浴槽とお湯を沸かす為の熱交換器とを接続するための循環具として一口循環具が知られている。この一口循環具は、吸水孔及び吐水孔を有する円筒状の基体、該基体を覆うフィルターケース、吸水孔と熱交換器及び熱交換器と吐水孔を接続する循環パイプ等から構成されている。また、一般に、循環具の循環パイプを定期的に洗浄するための洗浄装置として、特許文献１に記載される循環具洗浄装置が知られている。その洗浄装置は、洗浄剤を送り出すためのポンプ、そのポンプの吐出口を延長するためのホース、そのホースと循環具の循環口を接続するための接続アダプタ等から構成されている。その接続アダプタにより、ポンプの吐出口と基体の吸水孔及び吐水孔が連通される。そして、洗浄液が循環具洗浄装置から所定の水圧で排出されることにより循環パイプ内が洗浄される。
【０００３】
【特許文献１】
実開昭５６−５０３１９号公報（図面）
【０００４】
【発明が解決しようとする課題】
ところが、一口循環具の基体は統一された規格がなく、市販されている一口循環具の基体の大きさ、吸水孔及び吐水孔の位置、形状等がそれぞれ異なっていた。そのため、循環具洗浄装置で循環パイプ内を洗浄するためには、それぞれの基体に対応する接続アダプタを作製する必要があり、非常に煩雑であった。そのため、様々な形状等を有する一口循環具の基体に接続しうる接続アダプタの作製が望まれていた。
【０００５】
本発明は、従来技術の上記問題を解決するためになされたもので、その目的は、循環具洗浄装置において、様々な形状の一口循環具の基体に適合することができる一口循環具用の接続アダプタを提供することにある。
【０００６】
【課題を解決するための手段】
上記目的を達成するために、請求項１に記載の発明は、浴槽用一口循環具の略円筒状をなす基体の外周面上に設けられた浴槽水を導入する吸水孔及び加熱後の浴槽水を吐出する吐水孔に対し、前記吸水孔から洗浄液を注入し、吐水孔から吐出される排出水を循環するための循環具洗浄装置の洗浄液を吐出する吐出口及び排出水を導入する導入口を各々連結するための一口循環具用の接続アダプタにおいて、前記吐出口を有する吐水継手及び導入口を有する導入継手を支持する支持体が前記基体の周方向に沿って伸縮可能な周方向調節機構及び基体の半径方向に沿って進退可能な径方向位置調節機構を備えてなるものである。
【０００７】
請求項２記載の発明は、浴槽用一口循環具の略円筒状をなす基体の外周面上に設けられた浴槽水を導入する吸水孔及び加熱後の浴槽水を吐出する吐水孔に対し、前記吸水孔から洗浄液を注入し、吐水孔から吐出される排出水を循環するための循環具洗浄装置の洗浄液を吐出する吐出口及び排出水を導入する導入口を各々連結するための一口循環具用の接続アダプタにおいて、前記吐出口を有する吐水継手又は導入口を有する導入継手を支持する支持体が基体の半径方向に沿って進退可能な径方向位置調節機構を備えてなるものである。
【０００８】
請求項３記載の発明は、請求項１又は請求項２に記載の発明において、前記吐水継手の吐水口及び導入継手の導入口の周囲には、基体に圧接されて水漏れを防止するシール部材が取り付けられているものである。
【０００９】
【発明の実施の形態】
（第１の実施形態）
以下、本発明の接続アダプタを一口循環具用の一体型接続アダプタに具現化した第１の実施形態を図１〜図５にしたがって説明する。
【００１０】
図１及び図２に示すように、一口循環具用の一体型接続アダプタ１０は、循環具洗浄装置１１と連結されており、一口循環具１２の基体１３部分に取り付けられる。その循環具洗浄装置１１には、洗浄液を吐出するための吐出口１４及び排出水を導入する導入口１５が設けられ、それぞれ連結ホース１６，１７を介し、一体型接続アダプタ１０に連結されている。
【００１１】
一口循環具１２は、基体１３、図示されていない循環パイプ及び熱交換器等から構成されている。基体１３は、浴槽の壁面に取り付けられ、使用時には通常図示しないフィルタケースにより覆われている。基体１３は、合成樹脂により円筒状に成形されており、その外周面上に、浴槽の水を吸入する吸水孔１８及び加熱されたお湯を吐出する吐水孔１９が形成されている。
【００１２】
図１から４に示すように、一体型接続アダプタ１０は、円弧状に形成された支持体としての支持アーム２２、該支持アーム２２の一端に設けられ、基体１３の吸水孔１８内へ洗浄液を吐出する吐水継手２０、及び支持アームの他端に設けられ、基体１３の吐水孔１９から排出液を導入する導入継手２１を備えている。
【００１３】
支持アーム２２は、合成樹脂により両端部及び基体１３の中心軸の回りの角度が約２４０°の円弧状に成形されている。支持アーム２２のほぼ中央より一端側には１／２の厚みに切欠かれた切欠き部２３が設けられ、その切欠き部２３には周方向位置調節アーム２４が重合されている。支持アーム２２の一端部には断面コの字状に成形された吐水継手２０を収容する継手収容部４１が設けられ、周方向位置調節アーム２４の一端部には断面コの字状に成形された導入継手２１を収容する継手収容部４２が設けられている。継手収容部４１，４２は側壁４３，４４及び４５，４６、底壁４７，４８からそれぞれ構成され、その開口部は基体１３の中心軸線と直交するように基体１３側に向けられている。また、側壁４３，４４，４５，４６には、吐水継手２０又は導入継手２１を摺動支持するためのスライド溝４９，５０が支持アーム２２の周方向に凹設されている。
【００１４】
継手収容部４１，４２には、基体１３の半径方向に沿って進退可能な径方向位置調節機構３９が備えられている。径方向位置調節機構３９は、底壁４７に設けられた第１雌ねじ５４及びそれに螺合される第１雄ねじ５１、第２雌ねじ５５及びそれに螺合される第２雄ねじ５２、第３雌ねじ５６及びそれに螺合される第３雄ねじ５３から構成されている。第１雌ねじ５４、第２雌ねじ５５及び第３雌ねじ５６は、基体１３の中心軸線に向かって延びている。第３雄ねじ５３の基体１３側端部には平板状の締付板５７が回動可能に連結され、該締付板５７の外面には弾性部材５８が接着されて基体１３に圧接されるようになっている。
【００１５】
吐水継手２０と導入継手２１はそれぞれ合成樹脂により円筒体が直角に屈曲した形状をなしており、それぞれ連結ホース１６，１７が連結される洗浄装置連結筒２５，２６と、吐出口３３及び導入口３４をそれぞれ有する基体連結筒２７，２８とから構成されている。基体連結筒２７，２８の吐出口３３及び導入口３４は基体１３の吸水孔１８及び吐水孔１９にそれぞれ連結される。吐水継手２０と導入継手２１は、それぞれ基体連結筒２７，２８の中心軸線が、基体１３の中心軸線と直交し、洗浄装置連結筒２５，２６の接続部２９，３０が、正面を向く位置で継手収容部４１，４２に保持されている。基体連結筒２７，２８の吐出口３３及び導入口３４の外周面には、支持アーム２２の周方向に延びる平板状の接触部３５，３６がそれぞれ突設されている。それら接触部３５，３６の基体１３側の表面上には基体１３の吸水孔１８又は吐水孔１９との接触面からの洗浄液の漏れを防止するための合成樹脂製のシール部材３７，３８がそれぞれ接着されている。基体連結筒２７，２８の外周面には短形板状の２枚のスライド板３１，３２が、それぞれ支持アーム２２の周方向に突設されている。２枚のスライド板３１，３２は、それぞれ基体連結筒２７，２８の中心軸に対して対向する位置にそれぞれ設けられ、支持アーム２２のスライド溝４９，５０において基体１３の半径方向に摺動可能に収容されている。
【００１６】
洗浄装置連結筒２５，２６の接続部２９，３０は先端ほど縮径されたテーパ状をなし、吐水継手２０の洗浄装置連結筒２５は洗浄装置１１の吐出口１４側の連結ホース１６と接続され、導入継手２１の洗浄装置連結筒２６は洗浄装置１１の導入口１５側の連結ホース１７と接続されている。洗浄装置連結筒２５，２６の基体連結筒２７，２８側の端部には第１雄ねじ５１及び第２雄ねじ５２の先端部がそれぞれ圧接されており、吐水継手２０と導入継手２１は第１雄ねじ５１又は第２雄ねじ５２によって、継手収容部４１，４２内に保持されている。第１雄ねじ５１又は第２雄ねじ５２が第１雌ねじ５４又は第２雌ねじ５５に対して螺入又は螺退することにより、吐水継手２０と導入継手２１は基体１３の半径方向に往復移動できるようになっている。
【００１７】
支持アーム２２にはその周方向に延びる長孔５９が透設され、周方向位置調節アーム２４にはその周方向に延びる長孔６０が透設されている。これら２つの長孔５９，６０は重なり合うように支持アーム２２及び周方向位置調節アーム２４の幅方向中央位置に設けられている。支持アーム２２の導入継手２１側の端部には第５雌ねじ６３が形成されており、周方向位置調節アーム２４の吐水継手２０側の端部に第４雌ねじ６４が形成されている。第４雄ねじ６１の軸部が、支持アーム２２の長孔５９から挿通され、周方向位置調節アーム２４の第４雌ねじ６４に螺合されている。また、第５雄ねじ６２の軸部が、周方向位置調節アーム２４の長孔６０から挿通され、支持アーム２２の第５雌ねじ６３に螺合されている。
【００１８】
前記支持アーム２２の切欠き部２３、周方向位置調節アーム２４、長孔５９，６０、第４雄ねじ６１及び第５雄ねじ６２から周方向位置調節機構４０が構成されている。そして、吐水継手２０と導入継手２１の周方向の調節は、支持アーム２２上における周方向位置調節アーム２４の周方向へのスライド移動により行われるようになっている。
【００１９】
次に、一口循環具用の一体型接続アダプタ１０の作用について説明する。
まず、一体型接続アダプタ１０を基体１３に取り付ける際、周方向位置調節機構４０により、一体型接続アダプタ１０の吐水継手２０と導入継手２１の相対位置を決める。周方向位置調節アーム２４の支持アーム２２に対する周方向へのスライド移動を可能にするために、周方向位置調節機構４０を構成する第４雄ねじ６１及び第５雄ねじ６２を緩める。そして、基体１３の吸水孔１８及び吐水孔１９に対向する位置に吐水継手２０の基体連結筒２７の吐出口３３及び導入継手２１の基体連結筒２８の導入口３４がそれぞれ位置するように周方向位置調節アーム２４を支持アーム２２に対し周方向へスライド移動させる。
【００２０】
例えば、一体型接続アダプタ１０を図２に示すような基体１３の中心軸の回りに吸水孔１８と吐水孔１９のなす角度の外角が約２４０°である位置から図５に示すようなかかる角度の外角が約３００°の位置に取付変更するとする。この際、周方向位置調節アーム２４を支持アーム２２に対し導入継手２１側の周方向へスライド移動させる。つまり、周方向位置調節アーム２４の長孔６０に第５雄ねじ６２を挿通し、支持アーム２２の長孔５９に第４雄ねじ６１を挿通した状態で、周方向位置調節アーム２４を支持アーム２２に対し導入継手２１側の周方向へスライド移動させる。そして、導入継手２１の基体連結筒２８の導入口３４を吐水孔１９の開口部の対向する位置に合わせ、かかる位置において第４雄ねじ６１を支持アーム２２の長孔５９に挿通した状態で第４雌ねじ６４に螺合させて締付ける。さらに、第５雄ねじ６２を周方向位置調節アーム２４の長孔６０に挿通した状態で第５雌ねじ６３に螺合させて締付けることにより、周方向位置調節アーム２４を支持アーム２２に固定する。以上のようにして、周方向位置調節機構４０により、一体型接続アダプタ１０の吐水継手２０と導入継手２１の相対位置が決められる。
【００２１】
次に、径方向位置調節機構３９により一体型接続アダプタ１０を基体１３に固定する。基体連結筒２７，２８の吐出口３３又は導入口３４に設けられているシール部材３７，３８をそれぞれ基体１３の吸水孔１８及び吐水孔１９の開口部に接触するまで第１雄ねじ５１及び第２雄ねじ５２をそれぞれ第１雌ねじ５４及び第２雌ねじ５５にねじ込む。続いて、第３雄ねじ５３をその端部に設けられている弾性部材５８が基体１３の外周面に接触するまでねじ込む。すると、基体連結筒２７，２８の吐出口３３及び導入口３４に設けられているシール部材３７，３８が基体１３の吸水孔１８及び吐水孔１９の開口部にそれぞれ圧接され、一体型接続アダプタ１０が基体１３に固定される。
【００２２】
一体型接続アダプタ１０が基体１３に取り付けられた後、図示しない循環具洗浄装置１１内のポンプから洗浄液が送り出され、吐水継手２０から循環パイプ内に吐出される。循環パイプ内を洗浄した排出水は、導入継手２１に導入され、循環具洗浄装置１１に再び戻る。
【００２３】
第１の実施形態の一体型接続アダプタ１０によれば、以下のような効果を得ることができる。
（１）第１の実施形態では、周方向位置調節機構４０を周方向位置調節アーム２４及び支持アーム２２に設けられた長孔５９，６０、第４雄ねじ６１、第５雄ねじ６２から構成した。そして、第４雄ねじ６１は、支持アーム２２の長孔５９に挿通され、周方向位置調節アーム２４の第４雌ねじ６４に螺合し、第５雌ねじ６３は、周方向位置調節アーム２４の長孔６０に挿通され、支持アーム２２と螺合する構成とした。したがって、基体１３の外周面上に形成されている吸水孔１８及び吐水孔１９の相対位置が基体の種類により相違していたとしても、支持アーム２２における周方向位置調節アーム２４の周方向へのスライド移動により容易に吐水継手２０と導入継手２１の相対位置を変更することができる。
【００２４】
（２）第１の実施形態では、径方向位置調節機構３９として、支持アーム２２及び周方向位置調節アーム２４において第１雌ねじ５４、第２雌ねじ５５及び第３雌ねじ５６を螺刻し、第１雄ねじ５１、第２雄ねじ５２及び第３雄ねじ５３をそれぞれ螺合させた。そして、一体型接続アダプタ１０を基体１３に固定した。したがって、基体１３の円筒体の大きさが基体の種類により相違していたとしても、各雌ねじに対する各雄ねじの螺入の程度を変えることにより、基体１３に一体型接続アダプタ１０を固定することができる。
【００２５】
（３）第１の実施形態では、吐水継手２０及び導入継手２１の吐出口３３又は導入口３４には、支持アーム２２の周方向に延びる接触部３５，３６が突設されている。そして、その接触部３５，３６の基体１３側の表面上には基体１３の吸水孔１８又は吐水孔１９との接触面からの洗浄液の漏れを防止するための合成樹脂製のシール部材３７，３８を接着させた。したがって、吐水継手２０及び導入継手２１にそれぞれ結合している第１雄ねじ５１及び第２雄ねじ５２、支持アーム２２の中間に位置する第３雄ねじ５３を締付けることにより、吸水孔１８及び吐水孔１９と吐水継手２０及び導入継手２１の接触面からの水漏れを確実に防止することができる。また、基体１３の吸水孔１８及び吐水孔１９の開口部が、吐水継手２０及び導入継手２１の接触部３５，３６の範囲内の大きさであれば、いずれの基体１３においても一体型接続アダプタ１０を取り付けることができる。
【００２６】
なお、上記第１の実施形態は以下のように変更してもよい。
・上記第１の実施形態では、第１雄ねじ５１及び第２雄ねじ５２をそれぞれ吐水継手２０及び導入継手２１に当接させた。しかしながら、第１雄ねじ５１及び第２雄ねじ５２のうちいずれか一方の雄ねじを省略させてその部分を固定構造とし、もう一方の雄ねじを用いて径方向の位置調節を行ってもよい。
【００２７】
・上記第１の実施形態では、第１〜第３雄ねじの各雌ねじにおける螺入の程度により基体１３の半径方向の位置調節を行った。しかしながら、支持アーム取付手段としての径方向位置調節機構３９は、螺入の程度による調節手段以外でもよく、例えば、ラックとピニオンの構成を用いて、基体１３の半径方向の位置調節を行ってもよい。
【００２８】
・上記第１の実施形態では、吐水継手２０と導入継手２１の周方向の位置調節は、長孔５９，６０と第４雄ねじ６１及び第５雄ねじ６２による周方向位置調節アーム２４のスライド移動により行った。しかしながら、長孔を用いなくてもよく、第４雄ねじ６１及び第５雄ねじ６２を貫通する複数の孔を支持アーム２２の周方向に段階的に設けることにより、吐水継手２０と導入継手２１の周方向の位置調節を行ってもよい。
【００２９】
（第２の実施形態）
次に、本発明の接続アダプタを一口循環口用の分離型接続アダプタに具現化した第２の実施形態を図６〜図８にしたがって説明する。
【００３０】
図６及び図７に示すように、分離型接続アダプタ６５は、吐水継手又は導入継手としての一つの連結継手６６、その連結継手６６を支持する支持体としての支持アーム６７、基体１３の半径方向に沿って進退可能な径方向位置調節機構６８とを備えてなる。図８に示すように、２つの分離型接続アダプタ６５が基体１３の吸水孔１８及び吐水孔１９のいずれか一方に取り付けられている。２つの分離型接続アダプタ６５の一方は連結ホース１６を介し循環具洗浄装置１１の吐出口１４に接続され、もう一方の分離型接続アダプタ６５は、連結ホース１７を介し循環具洗浄装置１１の導入口１５と接続されている。
【００３１】
支持アーム６７は、長方形状をなす金属板の両端部が同じ側に直角に折り曲げられ、断面コの字状に加工されている。折り曲げられた一方の端部である調節端部６９には、径方向位置調節機構６８が取り付けられており、もう一方の端部である連結端部７０には、連結継手６６が接着されている。
【００３２】
径方向位置調節機構６８は、第１雄ねじ７１、調節端部６９を構成する金属板に螺設され第１雄ねじ７１が螺入される第１雌ねじ７２等から構成されている。第１雄ねじ７１の軸部の先端には、円筒体７３がその内周面に螺刻された第２雌ねじ７４に第１雄ねじ７１の軸部が螺入されることにより固定されている。第１雄ねじ７１の軸部には移動規制用ナット７５が螺合され、円筒体７３が第１雄ねじ７１の軸部基端側へ移動するのを規制するようになっている。円筒体７３の先端面には凹部７６が形成され、その凹部７６に円板状の弾性部材７７がその一部を外部に突出した状態で嵌め込まれている。第１雄ねじ７１の頭部には、有蓋円筒状の把持部７８が固定されている。
【００３３】
連結継手６６は有底四角筒状に成形され、内部に通水部７９が基体１３の中心軸線と平行方向に形成されている。連結継手６６の外側面は支持アーム６７に当接しており、通水部７９は支持アーム６７に透設された連通孔８４に連通しており、通水部７９内周面には雌ねじが螺刻されている。また、円筒状の洗浄装置連結筒８０が連結継手６６に固定されている。洗浄装置連結筒８０の外周面には通水部７９の雌ねじと螺合する雄ねじが螺刻されており、洗浄装置連結筒８０は連通孔８４を貫通し、通水部７９の雌ねじにねじ込み固定されている。洗浄装置連結筒８０の先端部は連結ホースが嵌挿しやすいように先端ほど縮径されたテーパ状に形成されている。連結継手６６の基体１３側の面には基体１３の吸水孔１８又は吐水孔１９と連通する吐出口又は導入口としての通水孔８１が連結継手６６の通水部７９と直交するように貫通している。連結継手６６の上面にはシール部材８２が接着されており、そのシール部材８２には通水孔８１と連通する連通孔８３が貫設されている。
【００３４】
さて、一口循環具用の分離型接続アダプタ６５を使用する場合には、まず、２つの分離型接続アダプタ６５の一方の洗浄装置連結筒８０を洗浄装置の洗浄液吐出口と結合している連結ホースと連結させ、もう一方の洗浄装置連結筒８０を洗浄装置の洗浄液導入口と結合している連結ホースと連結させる。２つの分離型接続アダプタ６５の径方向位置調節機構６８を構成する第１雄ねじ７１を把持部７８を回動させることにより、第１雄ねじ７１を弾性部材７７とシール部材８２との間隔が広がるように移動させる。そして、一方の分離型接続アダプタ６５において、連結継手６６に接着されているシール部材８２の連通孔８３が基体１３の吸水孔１８と連通するように連結継手６６に接着されているシール部材８２を基体１３の吸水孔１８の開口部に接触させる。そして、円筒体７３に接着されている弾性部材７７を基体１３の中心軸に対し吸水孔１８と反対側の外周面上に配置し、把持部７８を回動して締付けることにより分離型接続アダプタ６５を基体１３上に固定する。もう一方の分離型接続アダプタ６５も同様に、基体１３の吐水孔１９と連結継手６６に接着されているシール部材８２の連通孔８３とを連通させ、把持部７８を回動させることにより分離型接続アダプタ６５を基体１３に固定する。
【００３５】
２つの分離型接続アダプタ６５が基体１３に取り付けられた後、図示しない循環具洗浄装置内のポンプから洗浄液が送り出され、一方の連結継手６６から循環パイプ内に吐出される。循環パイプ内を洗浄した排出水は、もう一方の連結継手６６に導入され、循環具洗浄装置に再び戻る。
【００３６】
第２の実施形態の分離型接続アダプタ６５によれば、以下のような効果を得ることができる。
（１）第２の実施形態では、接続アダプタを基体１３の吸水孔１８と連通する側、及び基体１３の吐水孔１９と連通する側の２つに分離して構成した。したがって、基体１３の外周面における吸水孔１８と吐水孔１９の相対位置がいずれの位置であっても循環具洗浄装置の吐出口１４及び導入口１５と基体１３の吸水孔１８及び吐水孔１９を連通させることができる。
【００３７】
（２）第２の実施形態では、把持部７８を回動させることにより基体１３が位置することとなる連結継手６６側のシール部材８２と径方向位置調節機構６８側の弾性部材７７との間の距離を容易に調節することができる。したがって、一口循環具１２の種類によって基体１３の大きさが相違していたとしても、容易に分離型接続アダプタ６５を基体１３に固定することができる。
【００３８】
なお、第２の実施形態は以下のように変更してもよい。
・上記第２の実施形態では、径方向位置調節機構６８と連結継手６６とを支持アーム６７の両端部にそれぞれ設けた。しかしながら、径方向位置調節機構６８を介して連結継手６６を支持アーム６７に取付けてもよい。つまり、連結継手６６を支持アーム６７に設けられた長孔によって長手方向に移動可能に構成し、径方向位置調節機構６８としての雄ねじを連結端部７０を構成する金属板に螺設された雌ねじに外側から螺入し、該雄ねじの軸部先端を連結継手６６に当接させる構成にしてもよい。
【００３９】
・上記第２の実施形態では、洗浄液循環型の洗浄装置を使用した。しかしながら、洗浄液吐出型の洗浄装置であってもよく、また、洗浄装置を用いず、連結ホースを介し、水道の蛇口と連結継手６６を連結させるようにしてもよい。
【００４０】
・上記第２の実施形態では、２つの分離型接続アダプタ６５を基体１３に取り付けて使用した。しかしながら、吐水孔１９と連通する側の分離型接続アダプタ６５のみを基体１３に取り付けて使用してもよい。
【００４１】
・上記第２の実施形態では、第１雄ねじ７１の第１雌ねじ７２における螺合の程度により基体１３の半径方向の調節を行った。しかしながら、径方向位置調節機構６８は、螺合による調節手段以外でもよく、例えば、ラックとピニオンの構成を用いて、基体１３の半径方向の位置調節を行ってもよい。また、基体１３の半径方向の位置調節を、支持アーム６７を２つに分離し、それぞれ長手方向に延びる長孔を形成するとともに各々の長孔を重ね合わせ、その長孔を挿通するボルト及びナットから構成し、そのスライド移動により半径方向の位置調節を行ってもよい。
【００４２】
次に、上記実施形態及び別例から把握できる技術的思想について、それらの効果とともに以下に追記する。
（イ）前記径方向位置調節機構は、支持体に設けられた雌ねじ及び該雌ねじを螺入される雄ねじから構成され、前記雌ねじは基体の中心軸線に向かって延びている請求項１から請求項３のいずれか一項に記載の一口循環用の接続アダプタ。従って、かかる構成によれば、雌ねじに対する雄ねじの螺入の程度を変えることにより容易に径方向の位置調節を行なうことができる。
【００４３】
（ロ）前記（イ）に記載の一口循環用の接続アダプタにおいて、前記雄ねじの軸部の先端に、吐出継手又は導入継手が連結されている一口循環用の接続アダプタ。従って、径方向において吐出継手又は導入継手を最適な位置に移動させることができる。
【００４４】
【発明の効果】
本発明によれば、循環具洗浄装置において、多様な形状の一口循環具の基体に適合することができる一口循環具用の接続アダプタを提供することができる。
【図面の簡単な説明】
【図１】第１の実施形態における一体型接続アダプタの使用状態を示す斜視図。
【図２】第１の実施形態における一体型接続アダプタの周方向位置調節アームが吐水継手側にスライド移動した状態を示す平面図。
【図３】図２における３−３線断面図。
【図４】図２における４−４線断面図。
【図５】第１の実施形態における一体型接続アダプタの周方向位置調節アームが導入継手側にスライド移動した状態を示す平面図。
【図６】第２の実施形態における分離型接続アダプタの平面図。
【図７】図６における７−７線断面図。
【図８】第２の実施形態における分離型接続アダプタの使用状態を示す平面図。
【符号の説明】
１０…一体型接続アダプタ、６５…分離型接続アダプタ、１３…基体、１８…吸水孔、１９…吐水孔、２０…吐水継手、２１…導入継手、２２，６７…支持アーム、３３…吐出口、３４…導入口、３９，６８…径方向位置調節機構、４０…周方向位置調節機構、３７，３８，８２…シール部材
【図１】
2004360983.tif 000003
【図２】
2004360983.tif 000004
【図３】
2004360983.tif 000005
【図４】
2004360983.tif 000006
【図５】
2004360983.tif 000007
【図６】
2004360983.tif 000008
【図７】
2004360983.tif 000009
【図８】
2004360983.tif 000010